【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
以下に示す構造の化合物。
【化１】
1998045835.tif 000001
ここにおいて、 R1は、アルキル、ジアルキルエーテル、アルキルカルボニル、シクロアルキル、シクロアルキルアルキル、アリール、アリールカルボニル、アルカリールカルボニル、アラルキル又はアルキルアラルキル、Zは、-OH又は -NHR2であり、ここでR2は、アルキル、ジアルキルエーテル、アルキルカルボニル、シクロアルキル、シクロアルキルアルキル、アリール、アリールカルボニル、アルカリールカルボニル、アラルキル、アルキルアラルキルまたはR2はH、xは約60〜95%、 yは約3〜40%、zは0〜約20%および これらx、y、zの総和は100%である。
【請求項２】
請求項第１項に記載の化合物であって、 Zは-OH、R1はアルキル、ジアルキルエーテル、アルキルカルボニル又はシクロアルキルであることを特徴とする化合物。
【請求項３】
請求項第２項記載の化合物であって、 R1は-CH2-, -CH2CH2-, -CH2CH2OCH2CH2-, -C(O)CH2-, -C(O)CH2CH2-又は-CH2C6H10、 xは約78〜82 mol%、yは約15〜17 mol%及びzは約1〜7 mol%であることを特徴とする化合物。
【請求項４】
請求項第３項記載の化合物であって、R1は-CH2CH2-又は-CH2C6H10-であることを特徴とする化合物。
【請求項５】
請求項第１項記載の結合剤であって、 Zは-NHR2、R1はアルキル、ジアルキルエーテル、アルキルカルボニル又はシクロアルキル、R2は水素又はアリールであることを特徴とする化合物。
【請求項６】
以下に示す構造の化合物。
【化２】
1998045835.tif 000002
ここにおいて、R1は、アルキル、ジアルキルエーテル、アルキルカルボニル、シクロアルキル、シクロアルキルアルキル、アリール、アリールカルボニル、アルカリールカルボニル、アラルキル又はアルキルアラルキル、xは、約60〜95%、 yは約3〜40%、 zは0〜約20%で、これらx、y、zの総和が100%である。
【請求項７】
請求項第６項記載の化合物であって、R1は-CH2CH2-又は-CH2C6H10-であることを特徴とする化合物。
【請求項８】
請求項１記載の化合物を調製する方法において、以下の構造を有する化合物を酸で加水分解することを特徴とする化合物の調製方法。
【化３】
1998045835.tif 000003
ここにおいて、 R1はアルキル、ジアルキルエーテル、アルキルカルボニル、シクロアルキル、シクロアルキル・アルキル、アリール、アリールカルボニル、アルカリールカルボニル、アラルキル又はアルキルアラルキル、xは約60〜95%、 yは約3〜40%、 zは0〜約20%で これらx、y、zの総和は100%である。
【請求項９】
請求項１のポリ（ビニルブチラール）化合物を含む結合剤の溶液に分散された光導電性顔料から形成した電荷発生層と、電荷輸送層を含む電子写真用光導電体。
【請求項１０】
請求項９記載の光導電体であって、前記光導電性顔料は、チタニルフタロシアニン、バナジルフタロシアニン、ヒドロキシガリウムフタロシアニン、無金属（メタルフリー）フタロシアニン、銅フタロシアニン、アルミニウムフタロシアニン、クロロアルミニウムフタロシアニン及びハロインジウムフタロシアニンから成る群から選択される光導電体。
【請求項１１】
前記光導電性顔料が、テトラカルボキシイミド・ペリレン顔料群から成る群から選択される請求項９記載の光導電体。
【請求項１２】
前記電荷発生層の前記光導電性顔料がフェネチルペリレンである請求項１１記載の光導電体。
【請求項１３】
前記電荷輸送層は、N,N'-ジフェニル-N,N'-ビス(3-メチルフェニル)-[1,1'-ビフェニル]-4,4-ジアミンである請求項９項記載の光導電体。
【請求項１４】
前記電荷発生層の前記光導電性顔料は、チタニルフタロシアニンで、前記電荷輸送層は、(CH3C6H4)3Nである請求項９記載の光導電体。
【請求項１５】
請求項９記載の光導電体であって、前記結合剤は、構造式I（ここにおいて、Zは-OH、R1は-CH2CH2-又は-CH2C6H10-）のポリビニルブチラール化合物である光導電体。
【手続補正２】
【補正対象書類名】明細書
【補正対象項目名】００１０
【補正方法】変更
【補正の内容】
【００１０】
【発明の概要】
従って、発明の一局面では、以下に示す構造式Iに示す化合物を提供するものである。


【手続補正３】
【補正対象書類名】明細書
【補正対象項目名】００１４
【補正方法】変更
【補正の内容】
【００１４】
本発明のさらに他の局面は、構造式Iの化合物の合成における中間物を提供するものであり、ここでは、その中間物は化５の化合物である。


【手続補正４】
【補正対象書類名】明細書
【補正対象項目名】００１１
【補正方法】変更
【補正の内容】
【００１１】
【化４】
1998045835.tif 000004
ここでは、R1は、アルキル、ジアルキルエーテル、アルキルカルボニル、シクロアルキル、シクロアルキル・アルキル、アリール、アリールカルボニル、アルカリールカルボニル (alkaryl carbonyl)、アラルキル又はアルキルアラルキル (alkyl aralkyl)であり、Zは、-OH又は -NHR2であり、ここで、R2は、個別に、アルキル、ジアルキルエーテル、アルキルカルボニル、シクロアルキル、シクロアルキルアルキル、アリール、アリールカルボニル、アルカリールカルボニル、アラルキル、アルキルアラルキル、又はR2はHであり、xは、60〜95%、yは、3〜40%、 zは、0〜20%及び x＋y＋zは100%である。


【手続補正５】
【補正対象書類名】明細書
【補正対象項目名】００２６
【補正方法】変更
【補正の内容】
【００２６】
本願明細書で用いる場合、用語「アラルキル」は、式 -Ra-Rcの一価又は二価ラジカルに相当し、ここで、Raはアルキルで、Rcはアリールであり、二価ラジカルのRcは構造式IのZと結合を成すもので、例えば、ベンジル、メチレンフェニレン及びその類があげられる。


【手続補正６】
【補正対象書類名】明細書
【補正対象項目名】００２７
【補正方法】変更
【補正の内容】
【００２７】
本願明細書で用いる場合、用語「アルキルアラルキル」は、式 -Rc-Raの一価又は二価ラジカルに相当し、ここで、Rcは上記に定義したアラルキルで、Raはアリールであり、二価ラジカルのRaは構造式IのZと結合し、例えば、メチルベンジル、メチレンフェニルエチレン及びその類があげられる。


【手続補正７】
【補正対象書類名】明細書
【補正対象項目名】００３２
【補正方法】変更
【補正の内容】
【００３２】
３．好適な実施例
好ましいのは、構造式Iの化合物であって、ここでは、Zは-OH、R1はアルキル、ジアルキルエーテル、アルキルカルボニル、シクロアルキル、シクロアルキルアルキル、アリール、アリールカルボニル、アルカリールカルボニル、アラルキル又はアルキルアラルキルである。特に好ましいものは、R1が-CH2-, -CH2CH2-, -CH2CH2OCH2CH2-, -C(O)CH2-, -C(O)CH2CH2-及び-CH2C6H10-であり、そしてxが約78%〜約82%であり、yが約15%〜約17%であり且つzが約1%〜約7%であるような化合物である。


【手続補正８】
【補正対象書類名】明細書
【補正対象項目名】００３３
【補正方法】変更
【補正の内容】
【００３３】
さらに、好ましいのは、Zが-NHR2である構造式Iの化合物であって、ここで、R2は、アルキル、ジアルキルエーテル、アルキルカルボニル、シクロアルキル、シクロアルキルアルキル、アリール、アリールカルボニル、アルカリールカルボニル、アラルキル、アルキルアラルキル又はR2がHであり、R1は、ZがOHである構造式Iの化合物に関するものと同じである。特に好ましいものは、R1が-CH2-, -CH2CH2-, -CH2CH2OCH2CH2-, -C(O)CH2-, -C(O)CH2CH2-及び-CH2C6H10-であり、R2がHであり、そしてxが約78%〜約82であり、yが約15%〜約17%であり且つzが約1%〜約7%であるような化合物である。


【手続補正９】
【補正対象書類名】明細書
【補正対象項目名】００６３
【補正方法】変更
【補正の内容】
【００６３】
以上、本発明の実施例について詳述したが、以下、本発明の各実施態様の例を示す。
（実施態様１）以下に示す構造の化合物。
【化１０】
1998045835.tif 000005
ここにおいて、 R1は、アルキル、ジアルキルエーテル、アルキルカルボニル、シクロアルキル、シクロアルキルアルキル、アリール、アリールカルボニル、アルカリールカルボニル、アラルキル又はアルキルアラルキル、Zは、-OH又は-NHR2であり、ここでR2は、アルキル、ジアルキルエーテル、アルキルカルボニル、シクロアルキル、シクロアルキルアルキル、アリール、アリールカルボニル、アルカリールカルボニル、アラルキル、アルキルアラルキルまたはR2はH、xは約60〜95%、 yは約3〜40%、zは0〜約20%および これらx、y、zの総和は100%である。
（実施態様２）前項１記載の化合物であって、 Zは-OH、R1はアルキル、ジアルキルエーテル、アルキルカルボニル又はシクロアルキルである化合物。
（実施態様３）前項２記載の化合物であって、 R1は-CH2-, -CH2CH2-, -CH2CH2OCH2CH2-, -C(O)CH2-, -C(O)CH2CH2-又は-CH2C6H10、 xは約78〜82mol%、yは約15〜17mol%及びzは約1〜7mol%である化合物。
（実施態様４）前項３記載の化合物であって、R1は-CH2CH2-又は-CH2C6H10-である化合物。
（実施態様５）前項１記載の化合物であって、 Zは-NHR2、R1はアルキル、ジアルキルエーテル、アルキルカルボニル又はシクロアルキル、R2は水素又はアリールである化合物。
（実施態様６）以下に示す構造の化合物。
【化１１】
1998045835.tif 000006
ここにおいて、R1は、アルキル、ジアルキルエーテル、アルキルカルボニル、シクロアルキル、シクロアルキルアルキル、アリール、アリールカルボニル、アルカリールカルボニル、アラルキル又はアルキルアラルキル、xは約60〜95%、 yは約3〜40%、 zは0〜約20%で、これらx、y、zの総和が100%である。
（実施態様７）前項６記載の化合物であって、R1は-CH2CH2-又は-CH2C6H10-である化合物。
（実施態様８）前項１記載の化合物を調製する方法において、以下の構造を有する化合物を酸で加水分解することを特徴とする化合物の調製方法。
【化１２】
1998045835.tif 000007
ここにおいて、 R1はアルキル、ジアルキルエーテル、アルキルカルボニル、シクロアルキル、シクロアルキル・アルキル、アリール、アリールカルボニル、アルカリールカルボニル、アラルキル又はアルキルアラルキル、xは約60〜95%、 yは約3〜40%、 zは0〜約20%で これらx、y、zの総和は100%である。
（実施態様９）前項１のポリ（ビニルブチラール）化合物を含む結合剤の溶液に分散された光導電性顔料から形成した電荷発生層と、電荷輸送層を含む電子写真用光導電体。
（実施態様１０）前項９記載の光導電体であって、前記光導電性顔料は、チタニルフタロシアニン、バナジルフタロシアニン、ヒドロキシガリウムフタロシアニン、無金属（メタルフリー）フタロシアニン、銅フタロシアニン、アルミニウムフタロシアニン、クロロアルミニウムフタロシアニン及びハロインジウムフタロシアニンから成る群から選択される光導電体。
（実施態様１１）前記光導電性顔料が、テトラカルボキシイミド・ペリレン顔料群から成る群から選択される前項９記載の光導電体。
（実施態様１２）前記電荷発生層の前記光導電性顔料がフェネチルペリレンである前項１１記載の光導電体。
（実施態様１３）前記電荷輸送層は、N,N'-ジフェニル-N,N'-ビス(3-メチルフェニル)-[1,1'-ビフェニル]-4,4-ジアミンである前項９項記載の光導電体。
（実施態様１４）前記電荷発生層の前記光導電性顔料は、チタニルフタロシアニンで、前記電荷輸送層は、(CH3C6H4)3Nである前項９記載の光導電体。
（実施態様１５）前項９記載の光導電体であって、前記結合剤は、構造式I（ここにおいて、Zは-OH、R1は-CH2CH2-又は-CH2C6H10-）のポリビニルブチラール化合物である光導電体。